(57)【要約】      （修正有）【課題】グランド線などを構成する導電パターンに重畳するノイズを除去するノイズフィルタにおいて、製造コストの上昇を招くことなく、静電気に強いノイズフィルタを提供する。【解決手段】基板１００に形成される少なくとも２つの帯状導電パターン１１４、１１６からなるノイズフィルタ１２４、１３４であって、各帯状導電パターンは、所定の幅を有し、所定の距離を隔てて互いに平行に延在する。少なくとも一つの帯状導電パターン１１６は、幅狭部１２６と、その両端に隣接した幅広部１３０、１３２と、幅狭部及び幅広部によって画定される凹部１２８と、を有する。帯状導電パターン１１６に相対向する他の帯状導電パターン１１４は、その一部分の幅が幅広となるように帯状導電パターン１１６に向けて突出する凸部１２７を有する。凸部の少なくとも一部は、前記凹部内に配置される。【選択図】図１
2018032712.tif 000002
【特許請求の範囲】
【請求項１】
基板に形成される少なくとも２つの帯状導電パターンからなるノイズフィルタであって、
各帯状導電パターンの各々は、所定の幅を有すると共に、所定の距離を隔てて互いに平行に延在し、
少なくとも一つの帯状導電パターンは、その一部分の幅が幅狭とされた幅狭部と、該幅狭部の両端に隣接し前記幅狭部よりも幅が広い幅広部と、前記幅狭部及び幅広部によって画定される凹部と、を有し、
前記一つの帯状導電パターンに相対向する他の帯状導電パターンは、その一部分の幅が幅広となるように前記一つの帯状導電パターンに向けて突出する凸部を有し、
前記凸部の少なくとも一部は、前記凹部内に配置される、
ノイズフィルタ。
【請求項２】
請求項１に記載されたノイズフィルタにおいて、
前記幅狭部と前記凸部との最短距離は、前記所定の距離よりも小さい、
ノイズフィルタ。
【請求項３】
請求項２に記載されたノイズフィルタにおいて、
前記凹部内における前記凸部と前記幅広部との最短距離は、
前記幅狭部と前記凸部との最短距離よりも大きく、前記所定の距離よりも小さい、
ノイズフィルタ。
【請求項４】
請求項１ないし３のいずれか一項に記載されたノイズフィルタにおいて、
前記一つの帯状導電パターンは、複数の前記凹部を有し、
前記他の帯状導電パターンは、複数の前記凹部の各々と相対向する位置に複数の前記凸部を有し、
複数の前記凸部の各々の少なくとも一部は、各凸部と相対向する位置の前記凹部内に配置される、
ノイズフィルタ。
【請求項５】
請求項４に記載されたノイズフィルタにおいて、
複数の前記凸部の各々と、複数の前記凸部の各々と相対向する前記幅狭部との最短距離は、各々異なる、
ノイズフィルタ。
【請求項６】
請求項１ないし５のいずれか一項に記載されたノイズフィルタが形成された回路基板。
【請求項７】
請求項６に記載された回路基板において、
前記回路基板は、複数のグランドパターンを備え、
前記複数のグランドパターンのうち、少なくとも２つのグランドパターンは前記一つの帯状導電パターン及び前記他の帯状導電パターンである、
回路基板。
【請求項８】
請求項６または７に記載された回路基板を備える電子装置。
【発明の詳細な説明】
【技術分野】
【０００１】
本発明は、回路基板に形成される導電パターンに重畳したノイズを除去するノイズフィルタに関するものであり、特に、プリント配線基板などの基板に形成される導電パターンにより構成されるノイズフィルタに関する。
【背景技術】
【０００２】
一般に、電子装置は、装置外部から到来するノイズに影響されず、且つ装置外部にノイズを出さないという要件、いわゆる、ＥＭＣ（Electro-Magnetic Compatibility：電磁環境的両立性）を満たすことが求められている。電子装置を構成する電気回路は、それ自身がノイズを放出するノイズ源となる場合が多く、効果的なノイズ対策を施さなければ、期待されるＥＭＣを達成することが困難となっている。
【０００３】
電子装置を構成する電気回路のうち、特に、デジタル信号を処理するデジタル処理回路は、高速でON／OFFを繰り返すMOSFET（Metal-Oxide-Semiconductor Field-Effect-Transistor）などのスイッチング素子を有しており、ONとOFFとが切り替わる瞬間にスパイク状の高周波電流を含むノイズを発生する。
【０００４】
この高周波電流は、主に、スイッチング素子のゲート容量に蓄積される電荷の充放電によって、前記デジタル処理回路の信号線とグランド線との間を流れる電流（信号電流）と、前記デジタル処理回路の電源線から該スイッチング素子を介して前記グランド線に流れる電流（貫通電流）とから構成されており、信号電流及び貫通電流の何れもがグランド線を伝導経路としている。このため、該高周波電流は、例えば、該スイッチング素子のグランド線を共有する他の回路に流入したり、該グランド線をアンテナとして輻射ノイズとなって他の回路に伝搬することで、周囲の回路の誤動作を誘発する要因となっている
【０００５】
このため、スイッチング素子で発生する高周波電流は、該スイッチング素子が接続されるグランドよりも更に低インピーダンスで安定したグランド（例えば、上記デジタル信号処理回路が設けられる回路基板内のグランドプレーン）や、電子装置を構成する筐体などに速やかに逃がすことが望ましい。
【０００６】
例えば、グランドパターンが、電源装置のグランドに接続されたグランドプレーンと複数のグランド線とで構成される場合には、ノイズフィルタ素子（例えば、チップコンデンサなど）によって、高周波電流が重畳するグランド線と、上記グランドプレーンなどとを接続すれば、該高周波電流を、グランド線から、高周波インピーダンスの低い前記ノイズフィルタ素子を経由して、該グランドプレーンに排除することができる。このような手法によれば、デジタル信号処理回路のグランド線のノイズ耐性を向上させることができ、また、グランド線からノイズが放出することも防止できるため、期待されるＥＭＣを達成し易くなる。
【０００７】
その一方で、期待されるノイズ除去効果を得るためには、多数のノイズフィルタ素子を実装する必要があり、使用個数に応じて製造コストが上昇する。また、電子装置の使用環境によっては、特許文献１のように、ノイズフィルタ素子を静電気から保護するための静電気保護部品（例えば、抵抗やツェナーダイオードなど）が別途必要となるため、さらに電子装置の製造コストの上昇を招く恐れがある。
【先行技術文献】
【特許文献】
【０００８】
【特許文献１】特開２００３−１５１７９４号公報
【発明の概要】
【発明が解決しようとする課題】
【０００９】
このような背景から、グランド線などを構成する導電パターンに重畳するノイズを除去するノイズフィルタにおいて、製造コストの上昇を招くことなく、静電気に強いノイズフィルタを実現することが望まれている。
【課題を解決するための手段】
【００１０】
本発明の一の態様は、基板に形成される少なくとも２つの帯状導電パターンからなるノイズフィルタである。本ノイズフィルタにおいて、各帯状導電パターンの各々は、所定の幅を有すると共に、所定の距離を隔てて互いに平行に延在し、少なくとも一つの帯状導電パターンは、その一部分の幅が幅狭とされた幅狭部と、該幅狭部の両端に隣接し前記幅狭部よりも幅が広い幅広部と、前記幅狭部及び幅広部によって画定される凹部と、を有し、前記一つの帯状導電パターンに相対向する他の帯状導電パターンは、その一部分の幅が幅広となるように前記一つの帯状導電パターンに向けて突出する凸部を有し、前記凸部の少なくとも一部は、前記凹部内に配置される。
本発明の他の態様によると、前記幅狭部と前記凸部との最短距離は、前記所定の距離よりも小さい。
本発明の他の態様によると、前記凹部内における前記凸部と前記幅広部との最短距離は、
前記幅狭部と前記凸部との最短距離よりも大きく、前記所定の距離よりも小さい。
本発明の他の態様によると、前記１つの帯状導電パターンは、複数の前記凹部を有し、前記他の帯状導電パターンは、複数の前記凹部と各々と相対向する位置に複数の前記凸部を有し、複数の前記凸部の各々の少なくとも一部は、各凸部と相対向する位置の前記凹部内には配置される。
本発明の他の態様によると、複数の前記凸部の各々と、複数の前記凸部の各々と相対向する幅狭部との最短距離は、各々異なる。
本発明の他の態様は、上記ノイズフィルタが形成された回路基板である。
本発明の他の態様によると、前記回路基板は、複数のグランドパターンを備え、複数のグランドパターンのうち、少なくとも２つのグランドパターンは前記一つの帯状導電パターン及び前記他の帯状導電パターンに対応する。
本発明の他の態様は、上記回路基板を備える電子装置である。
【図面の簡単な説明】
【００１１】
【図１】本発明の一実施形態に係るノイズフィルタを備えた回路基板の構成、ノイズフィルタの構成、及びノイズフィルタの等価回路を示す図である。
【図２】本実施形態に係るノイズフィルタの変形例の構成を示す図である。
【発明を実施するための形態】
【００１２】
以下、図面を参照して、本発明の実施の形態を説明する。図１（ａ）は、本発明の一実施形態に係るノイズフィルタを備えた回路基板の構成を示す図である。 
【００１３】
本ノイズフィルタを備えた回路基板１００は、車両に搭載され該車両のエンジン制御を行う電子制御ユニット（ＥＣＵ：Electronic Control Unit）であり、制御回路を構成する電子部品が搭載された印刷回路基板である回路基板１００と、回路基板１００に配されたコネクタ１０２と、を有している。
【００１４】
回路基板１００上には、駆動回路１０４、１０６と、電源回路１０８と、ＡＤ変換回路（アナログ・デジタル変換回路、Analog-to-Digital Converter）１１０と、デジタル処理回路１１２と、が配され、回路基板１００上に形成された銅箔等の電気回路パターンにより互いに電気的に接続されて制御回路を構成している。なお、図１（ａ）において回路基板１００上に示した各回路１０４〜１１２を結ぶ線分は、回路基板１００上に形成された電気回路パターンを模式的に示したものであり、当該線分の交差部に示された黒丸は、当該交差部において電気回路パターンが互いに電気的に接続されていることを示している。また、黒丸が示されていない線分の交差部は、当該交差部を構成する電気回路パターンが電気的に接続されていないことを示しており、例えば、当該交差部では、一方の電気回路パターンが、回路基板１００に設けられたビアホール等を介して回路基板１００の裏面に逃げることで、電気的接続が回避される。
【００１５】
駆動回路１０４及び１０６は、例えばトランジスタを用いた電力増幅回路により構成され、車載発電機（不図示）などからの電源供給を受けて動作し、デジタル処理回路１１２から受信した制御量に基づき、エンジン制御を行う制御装置などの制御対象に与えるべき電流又は電圧値を決定して、当該決定した電流又は電圧値を持つ出力を制御対象にそれぞれに出力する。
【００１６】
電源回路１０８は、例えばレギュレータであり、上記車載発電機から供給された電圧を所定の電圧値に変換して、ＡＤ変換回路１１０、デジタル処理回路１１２に電力を供給する。
【００１７】
ＡＤ変換回路１１０は、電源回路１０８からの電源供給を受けて、回路基板１００の外部に設けられたセンサから出力された検知電圧信号（センサ信号）であるアナログ信号をデジタル信号に変換してデジタル処理回路１１２に出力する。
【００１８】
デジタル処理回路１１２は、例えば、ＣＰＵ（Central Processing Unit）、ＡＮＤ回路やＯＲ回路等の論理回路デバイス、ＰＬＤ（Programmable Logic Device）、ＡＳＩＣ（Application Specific Integrated Circuit）等のデジタル回路により構成され、ＡＤ変換回路１１０によりデジタル信号に変換された上記センサ信号に基づいて、制御対象をそれぞれ制御するための制御量を算出する。
【００１９】
回路基板１００の外周部において、本実施形態では、図１における回路基板１００の周縁部にコの字状に形成された帯状の導電パターンである電力用グランド（ＰＧ：Power Ground）１１４が設けられている。また、ＰＧ１１４に対し回路基板１００の内側に設けられた帯状の導電パターンである論理回路用グランド（ＬＧ：Logic Ground）１１６を備えている。さらに、ＰＧ１１４とＬＧ１１６とは、その一部がＧＮＤ接続パターン１１８により直流的に接続されている。
【００２０】
ここで、ＰＧ１１４は、回路基板１００に形成された他のグランドパターンよりもパターン面積が十分に広く、最も安定で低インピーダンスのグランドを構成している。ＰＧ１１４は、配線ライン１１９、１２１を介して駆動回路１０４、１０６のグランドと接続されている。なお、ＰＧ１１４は、コネクタ１０２のグランド端子を通じて駆動回路１０４、１０６の制御対象となる外部装置のグランドとも接続されている。
【００２１】
また、ＬＧ１１６は、回路基板１００上に形成された配線ライン１１５を介してデジタル処理回路１１２のグランド端子に接続されており、デジタル処理回路１１２の内部動作及び出力信号に用いられるパルス信号の電圧レベル、すなわち当該パルス信号の論理値を規定する基準を与える。ここで、デジタル処理回路１１２には、多数のスイッチング素子が含まれているため、該スイッチング素子のスイッチング動作に伴う様々な周波数のスパイク状の高周波電流がＬＧ１１６にノイズとして重畳する。また、当該ノイズが重畳するＬＧ１１６には、ＡＤ変換動作の基準電圧を得るべく接続されたＡＤ変換回路１１０のグランドや、電源回路１０８のグランドが、配線ライン１１３、１１７を介して接続されている。
【００２２】
ここで、本実施形態では、ＬＧ１１６に重畳した上記ノイズを除去するために、ＬＧ１１６及びＰＧ１１４の２つの導電パターンにおいて、該導電パターンを用いて形成した２つのノイズフィルタ１２４、１３４が、ＧＮＤ接続パターン１１８を挟むように設けられている。なお、本実施形態に係るノイズフィルタは、インピーダンスが低く、電位が安定しているＧＮＤ接続パターン１１８に隣接して設けられるのが最も効果的ではあるが、これに限らず、ＰＧ１１４とＬＧ１１６とが相対向する部分であれば、一定のノイズ除去効果を得ることができる。また、ノイズフィルタの個数は、ＬＧ１１６及びＰＧ１１４の相対向する部分の任意の位置に少なくも１つ設けられていればよく、必要に応じて、３つ以上のノイズフィルタを設けることもできる。
【００２３】
次に、本実施形態に係るノイズフィルタについて説明するが、図１（ａ）に示すノイズフィルタ１２４とノイズフィルタ１３４とは同一の構成を有しているので、以下、ノイズフィルタ１２４について、図１（ａ）の点線で囲む領域１２０の部分詳細図である図１（ｂ）と、当該ノイズフィルタ１２４の等価回路を示す図１（ｃ）とを用いて詳述する。
【００２４】
本実施形態に係るノイズフィルタ１２４は、ＰＧ１１４及びＬＧ１１６を構成する導電パターンの一部を変形したものであって、例えば、銅箔を部分的にエッチングしてＰＧ１１４及びＬＧ１１６の形状に加工する際に、同時に図１（ｂ）に示す形状にパターニングすることでノイズフィルタ１２４を得ることができる。このように、本実施形態に係るノイズフィルタ１２４は、新たな部品や追加の工程を必要とせずに、回路基板１００に設けることができる。
【００２５】
本実施形態に係るノイズフィルタ１２４は、ＬＧ１１６の一部を構成する幅狭部１２６（図示点線間の領域）と、ＰＧ１１４の一部を構成する凸部１２７（図示点線より上方の部分）と、前記幅狭部１２６と凸部１２７との間に位置する凹部１２８とから構成されている。なお、幅狭部１２６は、Ｌ１１６の幅（図１（ｂ）に示すＬ１１６の図示上下方向の長さ）の一部を、他の部分の幅よりも幅狭に形成した領域である。また、凹部１２８は、ＬＧ１１６において、該幅狭部１２６と、該幅狭部１２６の両端を挟むように配置される幅広部１３０、１３２との幅の差によって画定される凹状の切欠部であって、ＬＧ１１６を構成する導電体の一部を凹状に除去することで形成することができる。また、凸部１２７は、ＰＧ１１４を構成する導電体の一部を幅広に加工した突出部であって、前記幅狭部１２６と相対向する位置に形成されている。
【００２６】
ここで、ＰＧ１１４とＬＧ１１６とは、ノイズフィルタ１２４を除く領域において、所定の距離Ａをもって平行に相対向しているが、ノイズフィルタ１２４が形成されている領域において、ＰＧ１１４の凸部１２７とＰＧ１１６の幅狭部１２６との最短距離Ｂが前記所定の距離Ａよりも小さい距離で近接するように配置されている。さらに、ＰＧ１１４の凸部１２７の一部分は、ＰＧ１１６の凹部１２８内に位置している。この構成によって、ノイズフィルタ１２４では、該ノイズフィルタが形成されていない他の部分よりも低インピーダンスでＰＧ１１４とＬＧ１１６とを接続し得る容量結合が生じる。そして、ノイズフィルタ１２４は、ＬＧ１１６に重畳する高周波電流からなるノイズを、外部電源装置のグランドに対して低インピーダンスであってより安定なグランドであるＰＧ１１４へと排除するバイパスコンデンサとして機能する。
【００２７】
ここで、ノイズフィルタ１２４の上記バイパスコンデンサを構成する容量は、前記凸部１２７の図示上部付近と幅狭部１２６とが最短距離Ｂをもって近接することにより生じる容量Ｃ１と、前記凸部１２７の図示左側の側面とＬＧ１１６の幅広部１３０とが最短距離Ｘをもって近接することにより生じる容量Ｃ２と、前記凸部１２７の図示右側の側面とＬＧ１１６の幅広部１３２とが最短距離Ｙをもって近接することにより生じる容量Ｃ３とから構成される。このように、ノイズフィルタ１２４は、ＰＧ１１４とＬＧ１１６とが近接する３箇所において所定の容量Ｃ１、Ｃ２、Ｃ３で容量結合するバイパスコンデンサから構成されている。
【００２８】
そして、ＬＧ１１６の幅広部１３０の方向からノイズフィルタ１２４に到来したノイズについては、ノイズフィルタ１２４を構成する容量であるＣ１及びまたはＣ２が主に機能して、ＬＧ１１６とＰＧ１１４とを低インピーダンスで接続し、ＬＧ１１６に重畳するノイズをＰＧ１１４に排除する。また、上述した場合とは逆方向から到来するノイズ（すなわち、幅広部１３２の方向から到来するノイズ）であっても、ノイズフィルタ１２４を構成する３つの容量のうちＣ１及びまたはＣ３が主に機能して、ＬＧ１１６とＰＧ１１４とを低インピーダンス接続し、ＬＧ１１６に重畳するノイズをＰＧ１１４に排除することができる。このように、本ノイズフィルタ１２４は、凸部１２７を中心として図示左右対称なパターンで構成されているため、ノイズフィルタ１２４に何れの方向からノイズが到来しても、略同一のノイズ除去効果を得ることができる。
【００２９】
また、ノイズフィルタ１２４は、本実施形態では、各容量Ｃ１、Ｃ２、Ｃ３の各々がなすＬＧ１１６とＰＧ１１４との最短距離Ｂ、Ｘ、Ｙの全てが等しくなるように構成されている（Ｂ＝Ｘ＝Ｙ）。さらに、幅狭部１２６と凸部１２７とがオーバーラップする部分の長さＺと、前記凸部１２７の図示左側面及び右側面と幅広部１３０及び幅広部１３２とがオーバーラップする部分の長さＣとが等しくなるように形成されている（Ｚ＝Ｃ）。この結果、ノイズフィルタ１２４を構成する容量Ｃ１、Ｃ２、Ｃ３の全てが略同一の容量となる。その結果、意図しない静電気などに由来するサージ電流が、例えばＰＧ１１４からノイズフィルタ１２４に到来した場合においても、略同一のインピーダンスを有する電流経路となる容量Ｃ１、Ｃ２、Ｃ３が、到来した該サージ電流を３つの該電流経路に概ね等しく分流し、容量１つあたりに流入するサージ電流を低減することができる。このようにして、ノイズフィルタ１２４を過剰なサージ電流の流入による破壊から保護することができる。
【００３０】
また、本実施形態に係るノイズフィルタ１２４は、幅狭部１２６が構成する抵抗成分Ｒ１、Ｒ２と、凸部１２７が構成する抵抗成分Ｒ３と、を有しており、各抵抗成分Ｒ１〜Ｒ３が容量Ｃ１、Ｃ２、Ｃ３への上記サージ電流の流れ込みを制限すると共に、流入したサージ電流については速やかに熱に変換する制限抵抗として機能するため、ノイズフィルタ１２４が備える各容量Ｃ１、Ｃ２、Ｃ３の静電破壊防止効果を更に高めることができる。
【００３１】
なお、各容量Ｃ１、Ｃ２、Ｃ３におけるＬＧ１１６とＰＧ１１４との最短距離Ｂ、Ｘ、Ｙは、必ずしも全てを等しくする必要はなく、それぞれ任意の関係とすることができる。例えば、ノイズフィルタ１２４は、Ｃ１のみが機能していれば、ＬＧ１１６からＰＧ１１４へとノイズが排除でき、また、抵抗成分Ｒ１〜Ｒ３によって、所定の静電破壊防止効果も得られるため、例えば、Ｘ及びＹの両方が、Ａ及びＢの両方よりも大きくなるように各最短距離を設定して、Ｃ２及びＣ３が実質的に機能しない構成とすることもできる。
【００３２】
また、Ｘ及びＹの両方を、Ｂよりも大きく、且つＡよりも小さくすれば、容量Ｃ２、Ｃ３を低インピーダンスのノイズ排除経路として機能させることができる。この場合、ノイズフィルタ１２４に到来したサージ電流の大部分は、容量Ｃ１を通過するため、容量Ｃ２、Ｃ３では、サージ電流によって被るダメージを最小限に抑えることができる。そして、仮に、容量Ｃ１がサージ電流により破壊した場合においても、容量Ｃ２、Ｃ３については、ノイズを排除するための経路として機能するため、ＬＧ１１６に重畳するノイズを除去する機能が損なわれることはない。
【００３３】
なお、このような構成において、容量Ｃ２、Ｃ３の最短距離Ｘ、Ｙの関係を、Ｘ＝Ｙとすれば、ノイズフィルタ１２４に到来したサージ電流を幅広部１３０、１３２に等しく分流することができるため、サージ電流によるダメージが一方の容量に偏ることを防止できる。
【００３４】
このように、本実施形態に係るノイズフィルタ１２４では、ＬＧ１１６とＰＧ１１４とを構成する導電パターンの一部が、ノイズを除去する機能を備えると共に、該ノイズフィルタ１２４を静電気などに由来するサージ電流から保護する機能を備えているため、製造コストの上昇を招くことなく、静電気保護機能を備えたノイズフィルタを回路基板１００に形成することができる。
【００３５】
図２は、本実施形態における変形例であり、ノイズフィルタ１２４に代えて用いることのできる、ノイズフィルタ２０４、２１４、２２４の構成を示す図である。ここで、ノイズフィルタ２０４、２１４、２２４は、ＬＧ２６６とＰＧ２６４において、直列に接続された三段構成のノイズフィルタであって、ノイズフィルタ２０４、２１４、２２４の各々の構成は同一である。このような構成によれば、例えば、ＬＧ２６６に重畳するノイズの強度が高く、単独のノイズフィルタのみではノイズの大部分をＰＧ２６４へと排除できない場合においても、一段目のノイズフィルタ２０４を透過したノイズを、二段目、三段目のノイズフィルタ２１４、２２４を用いてＰＧ２６４へと排除することができる。この結果、ＬＧ２６６に重畳するノイズを出来うる限り除去して、ＬＧ２６６内にノイズが滞留することを防止できる。なお、ノイズフィルタの個数は３個に限らず、ＬＧ２６６に重畳するノイズの強度に応じて適宜増減することができる。また、本変形例では、ノイズフィルタ２０４、２１４、２２４の各々の構成を同一としたが、これに限らず、各ノイズフィルタを構成するパラメータ（図１（ｃ）の距離Ａ〜Ｃ、Ｘ〜Ｚ）の各々が異なるように構成してもよい。
【００３６】
なお、本実施形態及び変形例に係るノイズフィルタでは、ノイズフィルタを構成する凸部及び凹部の形状を矩形状としたが、例えば、凸部及び凹部の形状を三角形状などとしても同様の効果得ることができる。また、本実施形態及び変形例に係るノイズフィルタは、特定のグランド線（ＬＧ１１６、２６６）に重畳したノイズを、別のグランド線（ＰＧ１１４、２６４）に排除するものであるが、これに限らず、例えば、信号線に重畳するノイズを、グランド線に排除するような場合においても、当該信号線及びグランド線の導電パターンを用いて本実施形態及び変形例に係るノイズフィルタを形成しても、同様の効果を得ることができる。
【００３７】
以上、説明したように、本実施形態及びその変形例に係るノイズフィルタは、基板に形成される少なくとも２つの帯状導電パターンからなるノイズフィルタであって、各帯状導電パターンの各々は、所定の幅を有すると共に、所定の距離を隔てて互いに平行に延在し、少なくとも一つの帯状導電パターンは、その一部分の幅が幅狭とされた幅狭部と、該幅狭部の両端に隣接し前記幅狭部よりも幅が広い幅広部と、前記幅狭部及び幅広部によって画定される凹部と、を有し、前記一つの帯状導電パターンに相対向する他の帯状導電パターンは、その一部分の幅が幅広となるように前記一つの帯状導電パターンに向けて突出する凸部を有し、前記凸部の少なくとも一部は、前記凹部内に配置される。
【００３８】
これにより、本ノイズフィルタは、少なくとも２つの帯状導電パターンにより、一つの帯状導電パターンに重畳するノイズを、他の帯状導電パターンに排除するバイパスコンデンサを構成すると同時に、静電破壊防止素子として構成することができる。
【００３９】
その結果、帯状導電パターンの一部が、ノイズを除去する機能を備えると共に、該ノイズフィルタを静電気などに由来するサージ電流から保護する機能も備えているため、製造コストの上昇を招くことなく、静電気保護機能を備えたノイズフィルタを回路基板に作り込むことができる。
【符号の説明】
【００４０】
１００・・・回路基板、１０２・・・コネクタ、１０４、１０６・・・駆動回路、１０８・・・電源回路、１１０・・・ＡＤ変換回路、１１２・・・デジタル処理回路、１１４、２６４・・・電力用グランド（ＰＧ）、１１６、２６６・・・論理回路用グランド（ＬＧ）、１１８・・・ＧＮＤ接続パターン、１１３、１１５、１１７、１１９、１２１・・・配線ライン、１２４、１３４、２０４、２１４、２２４・・・ノイズフィルタ、１２６、２０６、２１６、２２６・・・幅狭部、１２７、２０７、２１７、２２７・・・凸部、１２８、２０８、２１８、２２８・・・凹部、１３０、１３２・・・幅広部。
【図１】
2018032712.tif 000003
【図２】
2018032712.tif 000004